(57)【要約】【課題】先端工具１０の着脱時に抜止部材の操作を簡易化した打撃工具の提供。【解決手段】打撃機構４により打撃力が伝達される先端工具１０の端部が収容される嵌合孔２５ａが画成され先端工具１０を保持する保持部２５を有し、保持部２５には先端工具１０の挿通方向と交差する方向を軸方向として延び軸周りに第一位置と第二位置との間で回転可能であると共に一部が嵌合孔２５ａ内に突出して尖端工具１０の凹部内に突出する抜止部材５が設けられ、抜止部材５は第一位置において嵌合孔２５ａ内に突出する掛止部と第二位置において嵌合孔２５ａ内から退出する挿通部とを有し、掛止部と挿通部とは抜止部材５の軸方向において同一位置かつ抜止部材５の周方向において異なる位置に配置され、抜止部材５と保持部２５との間には抜止部材を第二位置から第一位置へと回転付勢するバネが介在している打撃工具を提供する。【選択図】図１
2011235366.tif 000002
【特許請求の範囲】
【請求項１】
動力を出力する動力部と、
該動力を先端工具に打撃力として伝達する打撃部と、
該先端工具が収容される収容空間が画成され、該打撃部に接するように該先端工具を保持する保持部と、を有し、
該保持部には、該先端工具の該収容空間への挿通方向と交差する方向を軸方向として延び軸周りに第一位置と第二位置との間で回転可能であると共に一部が該収容空間内に突出する抜止部材が設けられ、
該抜止部材は、該第一位置において該収容空間内に突出する掛止部と、該第二位置において該収容空間内から退出する挿通部とを有し、
該抜止部材と該保持部との間には、該抜止部材を該第二位置から該第一位置へと回転付勢するバネが介在していることを特徴とする打撃工具。
【請求項２】
該抜止部材には、該バネの付勢力により該抜止部材が第一位置へと移動した状態で、該保持部と当接する規制部が設けられていることを特徴とする請求項１に記載の打撃工具。
【請求項３】
該挿通部には、該軸方向と平行な平坦面が設けられ、該平坦面は該第一位置において該収容空間内に該挿通方向と交差して該収容空間の開口と面するように配置され、
該先端工具が該収容空間内に挿入された状態で、該平坦面に該先端工具が当接して該抜止部材は該第一位置から該第二位置へと移動可能であることを特徴とする請求項１又は請求項２のいずれかに記載の打撃工具。
【発明の詳細な説明】
【技術分野】
【０００１】
本発明は打撃工具に関する。
【背景技術】
【０００２】
打撃工具においては、図１２に示されるように、先端の保持部１２５に形成された嵌合孔１２５ａ内に先端工具１０が収容されて装着され、この嵌合孔１２５ａ内に挿入された先端工具１０に、打撃子１４３Ａを衝突させて打撃力を与えることにより、先端工具１０で穿孔することが可能になる。この先端工具１０は、被穿孔対象に応じて取り替えられるため、保持部１２５には先端工具１０が装着された状態で脱落を抑制する抜止部材１０５が設けられている。抜止部材１０５は、丸棒状に構成され、嵌合孔１２５ａ内に一部が突出すると共に丸棒の軸周りに回転可能に構成されている。また抜止部材１０５には、切り欠き１０５ａが形成されており、切り欠き１０５ａが嵌合孔１２５ａ内に配置された状態では、抜止部材１０５が嵌合孔１２５ａから退出した状態になる。
【０００３】
先端工具１０は、端部に嵌合孔１２５ａ内に挿入される装着部１０Ｂが規定されており、装着部１０Ｂには、先端工具１０の長手方向に延びる凹部１０ａが形成されている。先端工具１０を保持部１２５に装着するには、予め抜止部材１０５を回転させて切り欠き１０５ａが嵌合孔１２５ａ内に配置された状態で装着部１０Ｂを嵌合孔１２５ａ内に挿入し、その後に抜止部材１０５を回転させることにより、凹部１０ａ内に抜止部材１０５の一部が入り、先端工具１０が保持部１２５から脱落不能になる。
【発明の概要】
【発明が解決しようとする課題】
【０００４】
抜止部材１０５は、図１３に示されるように、一端にバネ１０５Ａが装着され、他端にノブ１０５Ｂを有している。バネ１０５Ａは、抜止部材１０５と保持部１２５との間に介在し、抜止部材１０５に保持部１２５に対して他端から一端に向かう方向の付勢力を与えている。よって抜止部材１０５はその軸方向に付勢されて保持部１２５に押し付けられている。また抜止部材１０５は保持部１２５に押し付けられた状態では保持部１２５に対して回転不能に構成されている。従って、保持部１２５に先端工具１０を着脱するには、その都度ノブ１０５Ｂにより抜止部材１０５をバネ１０５Ａに抗うように引いた後に回転させる必要があり、作業が煩わしかった。よって本発明は、先端工具の着脱時に、抜止部材の操作を簡易化した打撃工具を提供することを目的とする。
【課題を解決するための手段】
【０００５】
上記課題を解決するために本発明は、動力を出力する動力部と、該動力を先端工具に打撃力として伝達する打撃部と、該先端工具が収容される収容空間が画成され、該打撃部に接するように該先端工具を保持する保持部と、を有し、該保持部には、該先端工具の該収容空間への挿通方向と交差する方向を軸方向として延び軸周りに第一位置と第二位置との間で回転可能であると共に一部が該収容空間内に突出する抜止部材が設けられ、該抜止部材は、該第一位置において該収容空間内に突出する掛止部と、該第二位置において該収容空間内から退出する挿通部とを有し、該抜止部材と該保持部との間には、該抜止部材を該第二位置から該第一位置へと回転付勢するバネが介在している打撃工具を提供する。
【０００６】
このような構成によると、抜止部材が、操作されずとも、第二位置から第一位置へと付勢されて回転動作するため、抜止部材の操作を減らすことができる。
【０００７】
上記構成の打撃工具において、該抜止部材には、該バネの付勢力により該抜止部材が第一位置へと移動した状態で、該保持部と当接する規制部が設けられていることが好ましい。
【０００８】
このような構成によると、第二位置から第一位置へと回転した抜止部材が、更に同じ方向へと回転することが抑制される。よって第一位置においても抜止部材に付勢力が掛けられるようにバネを設定することにより、第一位置にある抜止部材が第二位置側へと移動することが抑制され、先端工具が保持部から外れることを防ぐことができる。
【０００９】
また該挿通部には、該軸方向と平行な平坦面が設けられ、該平坦面は該第一位置において該収容空間内に該挿通方向と交差して該収容空間の開口と面するように配置され、該先端工具が該収容空間内に挿入された状態で、該平坦面に該先端工具が当接して該抜止部材は該第一位置から該第二位置へと移動可能であることが好ましい。
【００１０】
このような構成によると、収容空間内に先端工具を挿入し、先端工具が平坦面に当接することにより、抜止部材が第二位置へと移動するため、特に抜止部材を操作せずとも、収容空間内に先端工具を装着することができる。
【発明の効果】
【００１１】
本発明の打撃工具によれば、先端工具の着脱を容易にすることができる。
【図面の簡単な説明】
【００１２】
【図１】本発明の実施の形態に係る打撃工具の側面図（一部断面図）。
【図２】図１のII−II線に沿った断面図。
【図３】図２のIII-III線に沿った保持部周辺の断面矢視図。
【図４】本発明の実施の形態に係る保持部及び第一位置にある鍔部を示す打撃工具の部分側面図。
【図５】本発明の実施の形態に係る抜止部材の（ａ）平面図（ｂ）正面図（ｃ）装着部側側面図（ｄ）鍔部側側面図。
【図６】本発明の実施の形態に係る保持部及び第二位置にある鍔部を示す打撃工具の部分側面図。
【図７】図９のVII-VII線に沿った保持部周辺の断面矢視図。
【図８】本発明の実施の形態に係る打撃工具の保持部周辺の側面断面図（抜止部材が第二位置にある状態）。
【図９】図８のIX−IX線に沿った断面図。
【図１０】先端工具の側面図。
【図１１】本発明の実施の形態に係る打撃工具の保持部周辺の側面断面図（先端工具が保持部に装着されている状態）。
【図１２】従来例に係る打撃工具の保持部周辺の側面断面図。
【図１３】図１２のXIII−XIII線に沿った断面図。
【発明を実施するための形態】
【００１３】
以下、本発明の実施の形態に係る打撃工具を図１乃至図１０に基づき説明する。図１に示される打撃工具であるハンマ１は、装着された先端工具１０に打撃力を加えてコンクリート壁等に穿孔等を行う工具であり、主にハウジング２と、モータ３と、打撃部４と、を備え、ハウジング２に設けられた抜止部材５により先端工具１０を脱落不能にしている。以下の説明においては、先端工具１０の先端側を前側として前後方向を規定して説明する。
【００１４】
ハウジング２は、モータハウジング２１と、ハンドル２２と、インナカバー２３Ａ及びギアカバー２３Ｂと、シリンダケース２４と、保持部２５とから主に構成されている。モータハウジング２１は、内部にモータ３等を内蔵している。ハンドル２２は、モータハウジング２１の後側に設けられており、モータ３の回転を制御するトリガ２２Ａ及び外部電源に接続されモータ３に電力を供給する電源コード２２Ｂを備えている。
【００１５】
インナカバー２３Ａはモータハウジング２１の前側に配置されており、ギアカバー２３Ｂは、前後方向でモータハウジング２１とインナカバー２３Ａとに跨って配置されている。
【００１６】
シリンダケース２４は、筒状に構成されており、その筒の軸方向が前後方向と一致するようにインナカバー２３Ａの前方に配置されている。
【００１７】
保持部２５は、シリンダケース２４の前方に設けられており、内部に前後方向に貫通し断面六角形を成す収容空間である嵌合孔２５ａが形成されている。また保持部２５には、前後方向と直交する方向に貫通する貫通孔２５ｂ(図２)が形成されており、貫通孔２５ｂはその貫通方向における略中央部分で嵌合孔２５ａと連通している。保持部２５において、貫通孔２５ｂの貫通方向一方及び他方の開口近傍には、それぞれ図２、図３、図４に示されるように、前後方向に延びる段差２５Ａ、２５Ｂが設けられている。
【００１８】
モータ３は、図１に示されるように回転力を出力する出力軸部３１を有しており、モータハウジング２１内に位置すると共に出力軸部３１がギアカバー２３Ｂ内に位置し、出力軸部３１の軸方向が前後方向と直交するように配置されている。出力軸部３１はベアリングでモータハウジング２１内に支承されており、出力軸部３１の先端には、ピニオンギア３１Ａが設けられている。また出力軸部３１の基端には、モータ３冷却用のファン３２が同軸一体回転するように装着されている。
【００１９】
打撃部４は、ギア機構４１と、クランク機構４２と、打撃部４３とから主に構成されており、回転運動を往復運動に変換し、往復運動を打撃力として先端孔部１０に伝達している。ギア機構４１は、第一ギア４１Ａと第二ギア４１Ｂとを有し、それぞれベアリングで支承されてギアカバー２３Ｂ内に配置されている。第一ギア４１Ａは、ピニオンギア３１Ａと噛合しており、第二ギア４１Ｂは第一ギア４１Ａと噛合している。
【００２０】
クランク機構４２は、クランク４２Ａとコンロッド４２Ｂとから構成されている。クランク４２Ａは、第二ギア４１Ｂと同軸一体回転するように構成され、シリンダケース２４の後方位置に配置されている。コンロッド４２Ｂは、前端がシリンダケース２４内に配置されると共に後端がクランク４２Ａのクランクピンに回転可能に装着されている。このクランク４２Ａを回転させることによりコンロッド４２Ｂが前後動して、モータ３から伝達された回転運動を往復運動に変換している。
【００２１】
打撃部４３は、打撃子４３Ａと、ピストン４３Ｂとから主に構成されている。打撃子４３Ａは、前端が塞がれて内部に空間４３ａが画成された有底筒状に構成され、筒の軸方向が前後方向と一致するようにシリンダケース２４内に配置されている。打撃子４３Ａは、その外形がシリンダケース２４内の内径と略等しく若しくは僅かに小径に構成されており、故に打撃子４３Ａはシリンダケース２４に対して前後摺動可能になっている。打撃子４３Ａの空間４３ａ内には、コンロッド４２Ｂの先端が挿入されている。ピストン４３Ｂは、空間４３ａ内に、打撃子４３Ａの周壁との間に隙間が形成されず、打撃子４３Ａの前端に位置する底壁との間に空気室４３ｂが形成されるように打撃子４３Ａに対して前後摺動可能に配置されている。またピストン４３Ｂの後端には、コンロッド４２Ｂの前端がピストンピンを介して接続されている。よってピストン４３Ｂは、コンロッド４２Ｂの前後動に応じて打撃子４３Ａ内で前後動する。前後方向においてピストン４３と打撃子４３Ａとの間には気密に形成された空気室４３ｂが介在しているため、ピストン４３Ｂの前後動が空気室４３ｂを介して打撃子４３Ａへと伝達され、打撃子４３Ａから先端工具１０に打撃力が伝達される。
【００２２】
抜止部材５は、図５（ａ）〜（ｄ）に示されるように、円柱状に構成されており、円柱の軸方向一端に装着部５Ａが規定され、円柱の軸方向他端に鍔部５Ｂが規定され、円柱の軸方向略中央に切り欠かれて構成される挿通部である切り欠き５ａが形成されており、図２に示されるように貫通孔２５ｂ内に軸周りに回転可能に挿入されている。
【００２３】
装着部５Ａの先端は図５（ｂ）（ｃ）に示されるように二面加工されており、図２及び図３に示されるように、レバー５１がこの二面加工された箇所に抜止部材５と同軸一体回転するように装着されている。また装着部５Ａにはバネ５２が装着されている。バネ５２は一端が段差２５Ａに掛けられ、他端がレバー５１に掛けられており、保持部２５に対して抜止部材５に図３（図４）紙面上において時計回り（反時計回り）の付勢力を与えるように構成されている。
【００２４】
規制部である鍔部５Ｂは、図４、図５（ｄ）に示されるように正方形の平板の一の対角の二隅のみをＲ加工して構成されている。また鍔部５Ｂは、抜止部材５の回転の軸心から段差２５Ｂまでの距離と、鍔部５Ｂの正方形の中心から鍔部５Ｂの正方形の辺までの距離とが略等しくなるように構成されている。上述のように貫通孔２５ｂ近傍には段差２５Ｂが設けられており、かつ鍔部５Ｂは正方形から対角二隅をＲ加工した形状であるため、Ｒ加工されていない二隅については段差２５Ｂと干渉・当接する。よってＲ加工されていない二隅で抜止部材５の回転範囲が規制され、具体的には図4に示される状態から時計回りに９０°の範囲で抜止部材５を回転可能にする。図４において、抜止部材５がバネ５２（図３）の付勢力により回転付勢されて鍔部５Ｂの一の隅が段差２５Ｂと当接した状態を抜止部材５の周方向における第一の位置と定義し、図６においてバネ５２の付勢力に抗って抜止部材５を回転させて鍔部５Ｂの他の隅が段差２５Ｂと当接した状態を抜止部材５の周方向における第二の位置と定義する。図３に示されるように第一の位置においてレバー５１は、その長手方向が前後方向と一致するように配置され、図７に示されるように第二の位置においてレバー５１は、その長手方向が前後方向と直交するように配置される。
【００２５】
図５に示されるように切り欠き５ａは、抜止部材５の軸方向と平行な平坦面５Ｃを内部に有し、図９に示されるように貫通孔２５ｂに挿入された抜止部材５の軸方向において貫通孔２５ｂと嵌合孔２５ａとが連通する箇所と一致する位置に形成されている。また切り欠き５ａは、抜止部材５の周方向において、図１に示さされるように第一位置で平坦面５Ｃが嵌合孔２５ａ内で前側を向き、図８、図９に示されるように第二位置で切り欠き５ａを画成する抜止部材５（平坦面５Ｃ）が嵌合孔２５ａ内から退出するように形成されている。よって第一位置においては、抜止部材５の一部が嵌合孔２５ａ内に突出し、掛止部として作用する。また抜止部材５の回転の軸心は、嵌合孔２５ａ外に位置している。
【００２６】
先端工具１０は、図１０に示されるように、尖端（前端）が尖端状に構成され、最後端に被打撃部１０Ａが規定され、後端において被打撃部１０Ａの前側に、断面六角形を成す装着部１０Ｂが規定されている。この装着部１０Ｂの断面六角形状は、嵌合孔２５ａの内面の形状と略一致すると共に、嵌合孔２５ａ内で装着部１０Ｂが前後摺動可能な大きさに構成されている。また装着部１０Ｂにおいては、前後方向に延びる凹部１０ａが形成されており、凹部１０ａは、装着部１０Ｂが嵌合孔２５ａ内に挿入された状態で抜止部材５を挿入可能に形成されている。
【００２７】
上述のハンマ１に尖端工具１０を装着するには、抜止部材５を特に操作しない状態で、嵌合孔２５ａ内に装着部１０Ｂを被打撃部１０Ａ側から挿入する。この時に、抜止部材５は第一位置にあり、平坦面５Ｃは前側（装着部１０Ｂが嵌合孔２５ａ内に入ってくる側）を向いているため、図１１に示されるように、平坦面５Ｃに装着部１０Ｂの後端が当接する。平坦面５Ｃに装着部１０Ｂが当接した状態でバネ５２の付勢力に抗って更に尖端工具１０が嵌合孔２５ａ内に押し込まれることにより、図８に示されるように抜止部材５が第二位置側に回転し、図９に示されるように、切り欠き５ａを含む抜止部材５が嵌合孔２５ａより退出する。これにより装着部１０Ｂを嵌合孔２５ａ内の奥まで挿入して差し込むことができる。
【００２８】
装着部１０Ｂが奥まで差し込まれることにより、被打撃部１０Ａが打撃子４３Ａと当接可能な位置に配置され、かつ抜止部材５が凹部１０ａ内に配置され、平坦面５Ｃと装着部１０Ｂとの当接状態が解消される。この解消により、抜止部材５は、再び第一位置へと戻り、凹部１０ａ内に抜止部材５が突出する。
【００２９】
この状態で、尖端工具１０を引き抜こうと（前側に移動させようと）しても、抜止部材５の平坦面５Ｃ以外の周面が凹部１０ａ内周面と当接するのみであり、抜止部材５が第一位置から第二位置へと移動することはない。即ち、尖端工具１０が引き抜かれて保持部２５から脱落することが抑制される。尚、凹部１０ａは上述のように前後方向に延びた形状であるため、凹部１０ａ内に抜止部材５が挿入された状態でも、尖端工具１０は、保持部２５に対して前後摺動することは可能である。
【００３０】
尖端工具１０をハンマ１から外す時は、図７に示されるように、レバー５１を長手方向を前後方向と直交する位置まで回転させて抜止部材５を第二位置へと移動させることにより、抜止部材５が嵌合孔２５ａより退出するため、保持部１０Ｂを嵌合孔２５ａから引き抜いて尖端工具１０をハンマ１から容易に外すことができる。
【００３１】
本発明のハンマ１によると特に抜止部材５を操作せずとも、嵌合孔２５ａ内に先端工具１０の保持部１０Ｂを装着することができるので、尖端工具１０装着時に、レバー５１等を操作する必要が無く、尖端工具１０の装着が容易になる。
【００３２】
また尖端工具１０を外す時は、レバー５１を操作する必要があるが、レバー５１を図７の位置まで移動させて抜止部材５を第二位置に配置して尖端工具１０を外した後は、レバー５１から手を離すだけで、バネ５２の付勢力により、抜止部材５が第一位置へと戻るため、抜止部材５の操作を減らすことができる。仮に尖端工具１０の装着時に、レバー５１を操作して抜止部材５を第二位置へと移動させた後に保持部１０Ｂを嵌合孔２５ａ内に挿入した場合、レバー５１から手を離すのみで、抜止部材５が第一位置へと戻り、尖端工具１０が保持部２５に脱落不能に装着される。
【００３３】
また鍔部５Ｂにより第二位置から第一位置へと回転した抜止部材５が、更に同じ方向へと回転することが抑制される。よって第一位置においても抜止部材５に付勢力が掛けられるようにバネ５１を設定することにより、第一位置にある抜止部材５が第二位置側へと移動することが抑制される。また第一位置においては、レバー５１の長手方向が前後方向と一致するため、ハンマ１の打撃時の振動がレバー５１に加えられたとしてもレバー５１が回転することは抑制され、故に打撃時の振動によりレバー５１が第二位置側へと移動することが抑制される。これにより、先端工具１０が保持部２５から外れることを防ぐことができる。
【符号の説明】
【００３４】
１・・ハンマ  ２・・ハウジング  ３・・モータ  ４・・打撃部  ５・・抜止部材
５Ａ・・装着部  ５Ｂ・・鍔部  ５Ｃ・・平坦面  ５ａ・・切り欠き  １０・・先端工具
１０Ａ・・被打撃部  １０Ｂ・・装着部  １０ａ・・凹部  ２１・・モータハウジング
２２・・ハンドル  ２２Ａ・・トリガ  ２２Ｂ・・電源コード  ２３Ａ・・インナカバー
２３Ｂ・・ギアカバー  ２４・・シリンダケース  ２５・・保持部  ２５Ａ・・段差
２５Ｂ・・段差  ２５ａ・・嵌合孔  ２５ｂ・・貫通孔  ３１・・出力軸部
３１Ａ・・ピニオンギア  ３２・・ファン  ４１・・ギア機構  ４１Ａ・・第一ギア
４１Ｂ・・第二ギア  ４２・・クランク機構  ４２Ａ・・クランク
４２Ｂ・・コンロッド  ４３・・打撃部  ４３Ａ・・打撃子  ４３Ｂ・・ピストン
４３ａ・・空間  ４３ｂ・・空気室  ５１・・レバー  ５２・・バネ
【図１】
2011235366.tif 000003
【図２】
2011235366.tif 000004
【図３】
2011235366.tif 000005
【図４】
2011235366.tif 000006
【図５】
2011235366.tif 000007
【図６】
2011235366.tif 000008
【図７】
2011235366.tif 000009
【図８】
2011235366.tif 000010
【図９】
2011235366.tif 000011
【図１０】
2011235366.tif 000012
【図１１】
2011235366.tif 000013
【図１２】
2011235366.tif 000014
【図１３】
2011235366.tif 000015